(57)【要約】【課題】  ＷＡＮ１０５とＷＬＡＮとの間のローミングの間に、移動局のバッテリの電力消費を削減する装置および方法を提供する。【解決手段】  ＷＬＡＮのアクセス・ポイント（ＡＰ）１１１は、ＷＡＮ１０５と同期される。移動局１０１は、所定の時間窓の間にＷＬＡＮのビーコンを送信する。次いで、移動局１０１のビーコンを検出したＷＬＡＮのＡＰ１１１は、逆送接続１１３、１１７を通じてＷＡＮ１０５と通信して、移動局１０１が検出されたことをＷＡＮ１０５に通知する。その後、ＷＡＮ１０５は移動局１０１にメッセージを送信し、ＷＬＡＮのＡＰの探索を開始し、ＷＡＮ１０５からＷＬＡＮにハンドオーバする。【選択図】      図１
2006060817.tif 000002
【特許請求の範囲】
【請求項１】
移動局をワイド・エリア・ネットワークからワイヤレス・ローカル・エリア・ネットワークのアクセス・ポイントにハンドオーバする方法であって、
前記アクセス・ポイントにおいて同期信号を受信するステップと、
前記同期信号に基づいてブロードキャスト時間窓を判定するステップと、
前記ブロードキャスト時間窓の間に移動局のビーコン信号を監視するステップと、
前記移動局のビーコン信号を検出するステップと、
前記移動局のビーコン信号が検出されたことの通知メッセージを前記ワイド・エリア・ネットワークに送信するステップと、
を備える方法。
【請求項２】
請求項１に記載の方法において、前記ブロードキャスト時間窓を判定するステップは、更に、
前記ワイド・エリア・ネットワークから、前記ブロードキャスト時間窓を指定するタイミング・メッセージを受信することを備える、方法。
【請求項３】
請求項２に記載の方法において、前記タイミング・メッセージは、逆送接続を通じて、前記ワイド・エリア・ネットワークと前記アクセス・ポイントとの間で受信される、方法。
【請求項４】
請求項２に記載の方法において、前記アクセス・ポイントにおいて同期信号を受信するステップは、更に、前記アクセス・ポイントにおいて、ＩＳ−９５順方向リンク、ＧＳＭ順方向リンク、Ｗ−ＣＤＭＡ順方向リンク、ＴＤ−ＳＣＤＭＡ順方向リンク、およびＣＤＭＡ２０００順方向リンクのうちの少なくとも１つをデコードし、それによって前記同期信号を取得することを備える、方法。
【請求項５】
請求項２に記載の方法において、前記ブロードキャスト時間窓の間に移動局のビーコン信号を監視するステップは、更に、８０２．１１ｘ、８０２．１５ｘ、８０２．１６ｘ、Ｂｌｕｅｔｏｏｔｈ、およびＨｏｍｅＲＦ無線周波数のうちの少なくとも１つを監視することを備える、方法。
【請求項６】
移動局をワイド・エリア・ネットワークからワイヤレス・ローカル・エリア・ネットワークのアクセス・ポイントにハンドオーバする方法であって、
前記ワイド・エリア・ネットワークによって、同期信号を前記アクセス・ポイントに送信するステップと、
前記ワイド・エリア・ネットワークによって、前記アクセス・ポイントが移動局のビーコン信号を監視するべき時間窓を指定するタイミング・メッセージを前記アクセス・ポイントに送信するステップと、
前記ワイド・エリア・ネットワークによって、前記移動局がビーコン信号をブロードキャストするべき時間窓を指定するネットワーク・メッセージを前記移動局に送信するステップと、
前記アクセス・ポイントから、前記移動局のビーコン信号が検出されたことの通知を受信するステップと、
前記移動局にコマンド・メッセージを送信し、該コマンド・メッセージにより、ワイヤレス・ローカル・エリア・ネットワークのトランシーバの電源を投入し、かつ前記アクセス・ポイントとの接続を確立するように前記移動局に命令するステップと、
を備える方法。
【請求項７】
請求項６に記載の方法であって、更に、前記移動局のビーコン信号が検出されたことの通知を受信した後、前記アクセス・ポイントの近傍の位置エリア内に存在する一組の移動局を判定し、該一組の移動局に前記コマンド・メッセージを送信するステップを備える方法。
【請求項８】
請求項６に記載の方法において、前記アクセス・ポイントからの前記通知は、前記移動局に対する識別要素を備える、方法。
【請求項９】
請求項６に記載の方法において、前記ワイド・エリア・ネットワークによって、同期信号を前記アクセス・ポイントに送信するステップは、ＩＳ−９５、ＧＳＭ、Ｗ−ＣＤＭＡ、ＴＤ−ＳＣＤＭＡ、およびＣＤＭＡ２０００のうちの１つを用いて遂行される、方法。
【請求項１０】
請求項６に記載の方法において、前記ワイド・エリア・ネットワークによって、時間窓を指定するタイミング・メッセージを前記アクセス・ポイントに送信するステップは、逆送接続を用いて遂行される、方法。
【請求項１１】
移動局であって、
ＩＳ−９５、ＧＳＭ、Ｗ−ＣＤＭＡ、ＴＤ−ＳＣＤＭＡ、およびＣＤＭＡ２０００のうちの少なくとも１つによって通信を行う第１トランシーバと、
８０２．１１ｘ、８０２．１５ｘ、８０２．１６ｘ、Ｂｌｕｅｔｏｏｔｈ、およびＨｏｍｅＲＦのうちの少なくとも１つによって通信を行う第２トランシーバと、
前記第２トランシーバを用いてビーコン信号を送信する時間窓を指定するネットワーク・メッセージを、前記第１トランシーバを用いて受信するように構成されたプロセッサ及びメモリであって、前記第２トランシーバの電源は、初期においては前記時間窓の間にのみ投入されており、更に、前記第２トランシーバの電源を投入し、前記第２トランシーバを用いた接続を確立することにより、前記第２トランシーバを用いた接続が使用可能であることの通知を、前記第１トランシーバを用いて受信するように構成されたプロセッサおよびメモリと、
を備える移動局。
【請求項１２】
請求項１１に記載の移動局において、前記プロセッサおよびメモリは、更に、前記第２トランシーバを用いた接続を確立した後に、前記第１トランシーバ機器の電源を切るように構成されている、移動局。
【発明の詳細な説明】
【技術分野】
【０００１】
本発明は、一般的には、セルラ・ネットワークおよびワイヤレス・ローカル・エリア・ネットワークに関し、更に特定すれば、二重モード・ワイヤレス・インターフェース機能を有するワイヤレス・ローカル・エリア・ネットワークのアクセス・ポイントおよび携帯端末に関する。
【背景技術】
【０００２】
ワイヤレス・ローカル・エリア・ネットワーク（ＷＬＡＮ：Wireless Local Area Network ）は、データ接続、例えば、インターネットまたはイントラネットへのパーソナル・コンピュータ（ＰＣ：Personal Computer ）の接続のために本来着想されたものである。しかしながら、ＷＬＡＮの接続を利用するデバイスや用途の範囲は、従来はセルラ・ネットワークが提供していた音声通信を含むまでに拡大している。同様に、セルラ・ネットワークも現在はデータ接続機能を提供することができる。
【０００３】
種々の携帯用デバイス、およびラップトップ・コンピュータは、ＷＬＡＮとの接続を確立するのに適切なワイヤレス・トランシーバを含む。現在、二重モードまたは多重モードに対応したセルラ電話機が存在する。かかる電話機は、ＩＳ−９５およびＧＳＭのようなエア・インターフェースを用いてセルラ・ネットワークと通信するトランシーバ、ならびに８０２．１１、Ｂｌｕｅｔｏｏｔｈ、ＩｒＤＡ、およびＨｏｍｅＲＦのようなエア・インターフェースを用いてＷＬＡＮと通信するトランシーバを備えている。
【０００４】
移動局がシームレスにワイド・エリア・ネットワーク（ＷＡＮ：Wide Area Network ）とＷＬＡＮとの間をローミングできることは、大きな可能性を秘めている。これらのネットワークは異なる特性を備えており、状況に応じて有効に活用することができる。例えば、ＷＡＮのスループットは厳しく制限され、さらに高額な料金を課される場合が多い。一方、ＷＬＡＮでは、わずかな料金で高スループットを得られる。移動局が、ＷＬＡＮのアクセス・ポイント（ＡＰ：Access Point）の近傍を移動しているときに、その通信をＷＬＡＮに転送することができれば、更に低コストで遥かに高いスループットを利用することができる。したがって、基本的に必要なことは、移動局がＷＬＡＮのＡＰに近づいてきたときに、移動局をＷＡＮからＷＬＡＮにシームレスに移行可能にすることである。
【０００５】
移動局に伴う問題の１つは、これらがバッテリによって給電されており、その動作時間は利用するバッテリのサイズに比例しているため、動作時間が限定されることである。それゆえ、バッテリ電力の消費を抑えるために、種々の機構が設計されている。セルラ通信システムは、場合によっては、システムに加入している移動局の動作時間を延長する(improve) ために、例えば、数種類の機構を内蔵する。
【０００６】
移動局のバッテリ電力を保存するための機構の一例は、移動局のトランシーバに給電する時間を制限することである。例えば、アイドル・モードにある移動局、換言すれば、呼接続またはデータ接続に実際に関わっていない移動局であっても、ワイヤレス・ネットワークに情報を送信し、そこから情報を受信するためにバッテリの電力を用いなければならない。具体的には、移動局は、その受信機をイネーブルし、ＷＡＮブロードキャスト・チャネルとの同期を保ち続け、これを受信して、着信呼の通知を含む呼び出し(page)を受信しなければならない。また、移動局は、一つの潜在的担当セルまたは位置エリアから他の潜在的担当セルまたは位置エリアに移動する際に、広域セルラ・ネットワークから位置更新メッセージを送信および受信しなければならない。
【０００７】
周期的にのみ受信回路を活性化して呼び出しチャネルを受信すれば、移動局の電力消散は極力抑えられる。ブロードキャスト呼び出し情報は、特定の移動局を目的地とした情報が、当該移動局が受信していることが認識される時間窓内に確実に発生されることを保証するように、既知の方法で送信される。
【０００８】
また、位置更新メッセージの送信は移動局のバッテリ電力を必要とするが、電力消費は、呼のための電力消費よりも少ない。何故なら、更新メッセージの送信は、所定の時間間隔で行われるだけに過ぎないからである。したがって、移動局のトランシーバは、それが聴取または送信しなければいけない間隔の間だけ電力を必要とする。
【０００９】
同様に、ＷＬＡＮ技術委員会は、移動局のために種々のバッテリ電力節約手法を標準化した。かかる手法の１つに受動走査があり、この手法は、近隣の１つまたは複数のＡＰの可用性を判断するために用いられる。移動局が順次聴取する要求メッセージを多数のチャネルに送信するよりも寧ろ、チャネルのいずれかを通じてビーコンが送信されているか否かの判定を行う。移動局は、ビーコンを受信したあらゆるチャネルについてビーコン情報を記録し、したがって、どのＡＰチャネルにアクセス要求メッセージを送るか、或いは加入するか把握している。この機構は、送信に必要な電力を節約するが、ＷＬＡＮのトランシーバは潜在ビーコン・チャネルを走査するために、また電力を消費しなければならない。
【発明の開示】
【発明が解決しようとする課題】
【００１０】
ＷＡＮおよびＷＬＡＮシステムは個別の電力を低減する機構を備えているが、セルラ・ネットワークおよびＷＬＡＮと通信する二重モードまたは多重モード移動局のために、セルラの電力節約機構およびＷＬＡＮの電力節約機構を調整する機構は存在しない。これは、シームレスな移動性を得るには、欠くことのできない必要事項である。何故なら、移動局がＷＡＮシステム上で動作している間、それがＷＬＡＮのＡＰの範囲内を移動していたことを検出する方法を必要とするからである。
【００１１】
したがって、セルラおよびＷＬＡＮを用い、特に、ＷＬＡＮのＡＰの検出のために通信を行う二重および多重モード移動局には、バッテリ電力節約機構を調整する方法および装置が必要である。
【課題を解決するための手段】
【００１２】
前述の必要性に対処するために、本明細書では、セルラ・ネットワークとＷＬＡＮとの間のローミングの間に、移動局のバッテリの電力消費を削減する装置および方法を提供する。
【００１３】
本発明の第１実施形態によれば、逆送接続、またはワイド・エリア・ネットワーク（ＷＡＮ）から同期タイミング信号を受信してデコードするのに適したＷＬＡＮのＡＰのハードウェアのいずれかを通じて、ＷＬＡＮのＡＰをＷＡＮと同期させる。
【００１４】
次いで、ＷＬＡＮのＡＰは、規定された時間窓の間にビーコン信号を送信することができる。移動局は、この時間窓を認識し、該当する窓の間にのみそのＷＬＡＮのトランシーバ回路の電源を投入する。ＷＬＡＮのＡＰがＷＡＮと同期されているために、移動局は該当する時間窓を予測して電源を投入することができる。移動局がＷＬＡＮのＡＰのビーコンを検出すると、ＷＡＮの基地送受信局（ＢＴＳ）を通じてＷＡＮに通知し、アイドル・モード・シグナリングを担当のＢＴＳからＷＬＡＮのＡＰにハンドオーバする。
【００１５】
本発明の第２実施形態によれば、移動局は、所定の時間窓の間にＷＬＡＮビーコンを送信する。同期情報によって動作し、所定の時間窓を認識し得るＷＬＡＮのＡＰは、移動局のビーコンを検出し、次いで、逆送接続を通じて、セルラ・ネットワーク・インフラストラクチャと通信して、移動局が検出されたことをセルラ・ネットワークに知らせる。
【００１６】
その後、セルラ・ネットワークは、メッセージを移動局に送信し、そのＷＬＡＮのトランシーバの電源を投入させ、ＷＬＡＮを探索させる。ＷＬＡＮの検出およびＷＬＡＮへの接続に成功した場合、移動局は、セルラ・ネットワークからＷＬＡＮにハンドオーバする。更に、移動局は、ＡＰのビーコン情報を用いて、近隣リストまたはＷＬＡＮ走査報告、あるいはその同等物を更新し、セルラ・ネットワークから切断し、ＷＬＡＮのＡＰを用いて、アイドル・モードの動作を継続することができる。例えば、移動局は、その後、ＡＰのデータ・フレームを介して、セルラ・ネットワークへの位置更新メッセージングを維持することができる。
【発明の効果】
【００１７】
本発明の利点は、移動局がそのＷＬＡＮのトランシーバ機器の電源を切った状態を維持することができ、ＡＰと移動局との間で同期している所定の時間間隔を除いて、ＷＬＡＮメッセージを送信する必要も、受信する必要もないことである。
【００１８】
別の利点は、移動局も、ＡＰとセルラ・ネットワークとの間の逆送通信によって、ＡＰに予め認証され、ＷＬＡＮトラフィック接続の確立には、連携または再連携メッセージングのみが必要であるようにしたことである。
【発明を実施するための最良の形態】
【００１９】
これより図面に移る。複数の図面わたる同一の参照番号は同一の構成要素を表している。図１は、本発明の基本動作を示すブロック図である。移動局１０１は、ワイド・エリア・ネットワーク（ＷＡＮ）１０５の基地送受信局（ＢＴＳ：Base Transceiver Station）１０７と、エア・インターフェース１０３を用いて通信状態にある。エア・インターフェース１０３は、例えば、ＩＳ−９５ＣＤＭＡ、ＧＳＭ、ＷＣＤＭＡ、ＣＤＭＡ２０００等であればよい。移動局１０１は、アイドル・モードにあるときには、近隣のＢＴＳ１０７との通信を維持し、周期的メッセージ、例えば、位置更新メッセージを送信および受信する。
【００２０】
ＷＡＮ１０５は、多数のＢＴＳと、ホーム・ロケーション・レジスタ（ＨＬＲ：Home Location Register）を有する少なくとも１つの移動交換局（ＭＳＣ：Mobile Switching Center ）ＭＳＣ／ＨＬＲ１２１とを備えている。ＭＳＣ／ＨＬＲ１２１は、種々のＢＴＳセル・サイト間の移動局のハンドオーバを制御する。ＷＡＮ１０５は、多数のＭＣＳを有することもでき、その各々は、多数のＢＴＳセル・サイトおよびネットワーク計画に基づいて位置エリアを形成する。ＷＡＮ１０５の制御を、更に、所定の数のＢＴＳセル・サイトとＭＳＣとの間に階層的に位置する多数の基地局コントローラ（ＢＳＣ：Base Station Controller ）、ならびにその他のロケーション・レジスタおよびネットワークの構成要素によって内部に分散させてもよい。これはＷＡＮ技術では周知である。
【００２１】
本発明の実施形態によれば、ＷＡＮ１０５は、ＷＬＡＮのアクセス・ポイント（ＡＰ）１１１のような、１つ以上のＷＬＡＮのＡＰに、ネットワーク１１５を通じて、逆送接続（backhaul connection ）１１７および逆送接続１１３によって結合されている。ネットワーク１１５は、イントラネット、インターネット、ＰＳＴＮ等のような適切なものであればいずれのネットワークであってもよい。逆送接続１１３および１１７は、二点間ＲＦ、赤外線レーザ、イーサネット、ＤＳＬ、ケーブル、Ｔ１／Ｅ１、ＩＳＤＮ等のような適切な手段であればいずれであってもよい。逆送接続は、ＭＳＣ／ＨＬＲ１２１のような特定のＷＡＮのＭＳＣに対して、適宜、ＭＳＣ／ＨＬＲ１２１の物理的位置、ＷＡＮのネットワーク計画、または双方に基づいて行われ得る。
【００２２】
ＷＬＡＮのＡＰ１１１は、逆送接続およびネットワーク１１５を通じて、直接にＭＳＣ／ＨＬＲ１２１と通信することも、あるいは中間にＷＬＡＮのゲートウェイを介して通信することもできる。ＷＬＡＮのゲートウェイは、多数のＷＬＡＮのＡＰに接続して、更に大きなエリアのＷＬＡＮ無線カバレッジ、または多数の独立したＷＬＡＮホット・スポット・カバレッジ・エリアを形成することができる。
【００２３】
ＷＬＡＮのＡＰ１１１は、エア・インターフェース１０９を用いて移動局１０１と通信する。エア・インターフェース１０９は、例えば、８０２．１１、Ｂｌｕｅｔｏｏｔｈ、ＨｏｍｅＲＦ、または適切なインターフェースであればその他のいずれであってもよい。移動局１０１は、２つのトランシーバ、すなわち、１つはエア・インターフェース１０９を用いたＷＬＡＮのＡＰ１１１との通信のためのトランシーバ、１つはエア・インターフェース１０３を用いたＷＡＮ１０５との通信のためのトランシーバを備えている。移動局１０１の両トランシーバは、同時に動作して、移動局１０１がＷＡＮ１０５およびＷＬＡＮと、ＷＬＡＮのＡＰ１１１を通じて同時に通信できるようにすることができる。
【００２４】
移動局１０１がＷＡＮ１０５のカバレッジ・エリア内を移動する最中に、移動局１０１のＷＡＮのトランシーバを用いて、周期的な更新が移動局１０１によってＷＡＮ１０５に送信され、ＷＡＮ１０５から受信される。あるいは、移動局１０１は、単に呼び出しメッセージを受信するか、呼に関与するだけでもよい。いずれの場合でも、移動局１０１は、ＷＡＮ１０５と、更に特定すれば、移動局１０１が位置するセルを担当するＢＴＳ１０７と同期が取られている。
【００２５】
本発明の実施形態では、ＷＬＡＮのＡＰ１１１もまた、ネットワーク１１５による接続を介してか、あるいはエア・インターフェース信号１１９を介して受信を行うＷＡＮ受信機／デコーダによって、ＷＡＮ１０５と同期することができる。図２は、ＷＡＮ受信機／デコーダ２０１を用いた一つの実施形態を示す。ＩＳ−９５を用いたＷＡＮのかかるＷＡＮ受信機／デコーダの詳細については、米国特許出願公開第２００４／００８１１１７号明細書（２００４年４月２９日公開）に記載されている。この出願はモトローラ社（Motorola Inc. ）に譲渡されており、その内容は、本明細書において引用したことにより本願にも含まれるものとする。
【００２６】
図２において、ＷＡＮ受信機／デコーダ２０１は、タイミング基準２０３およびクロック（ＣＬＫ）信号２０５をＷＬＡＮのＡＰ１１１に供給する。ＷＡＮ受信機／デコーダ２０１は、ＲＦ結合回路２０７を介してアンテナ２０９に結合されている。あるいは、ＲＦ結合回路２０７は、ＷＬＡＮのＡＰ１１１の既存のアンテナを利用してもよい。ＷＡＮ受信機／デコーダ２０１、ＲＦ結合回路２０７、およびアンテナ２０９を、ＡＰ１１１内に一体化してもよければ、あるいはＰＣＭＣＩＡカード２１１のような別個の着脱可能な回路としてもよい。
【００２７】
ＷＡＮ受信機／デコーダ２０１を同期のために用いる実施形態では、ＲＦ結合回路２０７は、ＢＴＳ１０７における順方向リンク信号であるエア・インターフェース信号１１９を受信する。ＩＳ−９５の場合は、エア・インターフェース信号１１９は、例えば、同期チャネルおよびパイロット・チャネルを備えている。ＲＦ結合回路２０７は、エア・インターフェース信号１１９をＷＡＮ受信機／デコーダ２０１に供給し、ＷＡＮ受信機／デコーダ２０１はこの信号を処理して、タイミング基準２０３およびクロック信号２０５を抽出する。ＷＡＮ受信機／デコーダ２０１は、タイミング基準２０３およびクロック信号２０５を、同期の目的のために、ＡＰ１１１に供給する。
【００２８】
本発明の種々の実施形態の全てにおいて、ＷＬＡＮのＡＰ１１１を移動局１０１およびその担当ＢＴＳ１０７のシグナリングと同期させることは重要である。しかしながら、これを遂行するには種々の方法があり、これらも依然として本発明の範囲内に該当するものとする。例えば、コストはかかるが、代替例として、ＧＰＳ受信機を装備することにより、ＡＰ１１１に接続して、タイミング基準およびクロック信号を供給してもよい。他の代替例は、ネットワーク１１５を通じてＷＬＡＮのＡＰ１１１に同期を供給することである。何故なら、実施形態によれば、ＷＬＡＮのＡＰは、逆送接続１１３、１１７を介して、既にＷＡＮ１０５と通信しているからである。
【００２９】
図３は、本発明の第１実施形態の上位動作を示すフロー図である。ブロック３０１において、ＷＬＡＮのＡＰ１１１を、先に説明したように、ＷＡＮ受信機／デコーダ２０１およびエア・インターフェース信号１１９を用いて、あるいは逆送接続１１３、１１７および／またはネットワーク１１５を通じて、ＷＡＮ１０５と同期させる。
【００３０】
同期させたタイミングに基づいて、ＷＬＡＮのＡＰ１１１は、ブロック３０３に示すように、特定の時間窓の間にビーコン信号をブロードキャストする。ＷＬＡＮのＡＰ１１１は、そのビーコンを送信するためにエア・インターフェース１０９を用いる。しかしながら、移動局１０１は、通常、そのエア・インターフェース１０９のトランシーバ機器には常時給電してはいない。しかしながら、所定の時間窓の間に、移動局１０１は、そのエア・インターフェース１０９のトランシーバの電源をオンにして、ビーコン信号を聴取する。構成によっては、この聴取は、エア・インターフェース１０９のチャネルの掃引としてもよいし、あるいは所定の時間窓の間に特定のエア・インターフェース１０９のチャネルのみを聴取することとしてもよい。
【００３１】
ブロック３０５に示すように、移動局１０１が、ＷＬＡＮのＡＰ１１１のビーコンを含む幾らかのＷＬＡＮのＡＰのビーコンを検出した後、移動局１０１は、例えば、８０２．１１にあるような走査報告をコンパイルすることができる。しかしながら、タイムスタンプ・フィールドのようなタイミング・パラメータが、同期されたＷＬＡＮのＡＰ１１１に対する特定な値を含んでおり、移動局がブロック３０７においてこの値をＷＡＮ１０５に報告するようにしてもよい。しかしながら、適切なインディケータであれば、いずれを用いてもよく、ＷＡＮ１０５に対して報告されたインディケータを認識させ、ＷＡＮ１０５をＷＬＡＮのＡＰ１１１と関連付けさせることができる。これによって、ＷＬＡＮのＡＰ１１１を介して、さらに逆送接続１１３、１１７および／またはネットワーク１１５を通じて、ＷＡＮ１０５と移動局１０１との間の通信を継続することができる。
【００３２】
移動局１０１は既にエア・インターフェース１０３を通じてＷＡＮ１０５によって許可され、認証されているので、移動局１０１は、実施形態によっては、迅速に、即ち、連結(joining) および認証手順を行わずに、ＷＬＡＮのＡＰ１１１との連携を行うことができる。あるいは、この動作を、８０２．１１の再連携手順としてもよく、その際、ＢＴＳ１０７は、ＷＬＡＮのＡＰ１１１とＷＡＮ１０５との間の逆送通信を通じて、ＷＬＡＮのＡＰ１１１に関するＷＬＡＮのＡＰとして動作する。ブロック３０９に示すように、移動局のアイドル・モード・メッセージングは、エア・インターフェース１０３から、ＷＬＡＮのＡＰ１１１を介して、エア・インターフェース１０９に切り換えられ得る。移動局１０１は、続いて、そのＷＡＮのトランシーバ機器の電源を落とし、電力を節約することができる。
【００３３】
尚、移動局１０１が所定の時間窓の間にＡＰ１１１からのＷＬＡＮのビーコンを検出したとき、多数の方法のうちのいずれかの方法によりハンドオーバ・プロセスを実行することが可能であることは、当然理解されよう。例えば、移動局１０１は、ＷＡＮの呼の間でさえも、別個にＷＬＡＮのＡＰと接続し、それを用いて全てのメッセージングをそのネットワークおよびＷＡＮに逆に送信して、ハンドオフを実行することができる。これを、将来の時点で行われるように設定することができる。あるいは、ビーコンの検出時に、移動局１０１はこの情報をＷＡＮに通信することができ、ＷＡＮは、逆送接続１１３、１１７およびネットワーク１１５を通じてＷＬＡＮと協議し、特定の将来の時点において、移動局１０１のＷＬＡＮへの移行を確立することもできる。したがって、ハンドオフに対する最終コマンドは、ＷＬＡＮのＡＰ、ＷＡＮ通信、または双方のいずれかによって、移動局に与えられることは明白である。ビーコンの検出に続いて、移動局がＷＡＮおよびＷＬＡＮとの通信に、同時にかつ別個に、参加できることを認識することにより、種々の可能性が存在することが明白となろう。必要なことの全ては、ＷＡＮおよびＷＬＡＮサブシステムが後続の通信を調整することである。
【００３４】
図４は、図３に関する動作の更なる詳細を示すメッセージ・フロー図の一例である。図４において、ＷＡＮのＢＴＳ１０７およびＷＬＡＮのＡＰ１１１は、タイミング基準４０１を共有する。移動局（ＭＳ：Mobile Station）１０１は、アイドル・モード・メッセージング４０３を、ＷＡＮのＢＴＳ１０７に送信し、これをＷＡＮのＢＴＳ１０７から受信する。
【００３５】
ＷＬＡＮのＡＰ１１１はＷＡＮと同期が取られており、したがって同様に移動局１０１とも同期が取られている所定の時間窓の間に、ビーコン４０５を送信する。移動局１０１は、時間窓の先験的知識を有し、そのエア・インターフェース１０９に関する受信機器の電源を投入して、ビーコン４０５を聴取する。移動局１０１がビーコン４０５を検出すると、移動局１０１は、メッセージ４０７をＷＡＮのＢＴＳ１０７にエア・インターフェース１０３を通じて送信し、この検出を示す。次いで、移動局１０１は、接続４０９の確立に進む。これは、先に説明したように、８０２．１１連携であればよい。ＷＡＮのＢＴＳ１０７およびＭＳＣ／ＨＬＲ１２１は、必要なハンドオーバ・メッセージング４１１、およびＷＬＡＮのＡＰ１１１とＭＳＣ／ＨＬＲ１２１との間のメッセージング４１３を行う。これによって、移動局１０１は、メッセージング４１５を介して、ＷＡＮのＢＴＳ１０７との接続を切り、かつエア・インターフェース１０９を通じてアイドル・モード・メッセージング４１７に進むように指令される。移動局は、続いて、図示のように、動作４１９によってそのＷＡＮのトランシーバ機器の電源を切る。
【００３６】
図５は、本発明の第２実施形態の上位動作を示すフロー図である。ブロック５０１において、ＷＬＡＮのＡＰ１１１をＷＡＮ１０５と同期させる。
先に説明したように、ＷＬＡＮのＡＰ１１１は、同期の目的のために、ＢＴＳ１０７の順方向リンクを受信しデコードする受信機を備えることができる。しかしながら、実施形態によっては、ＷＬＡＮのＡＰ１１１とＷＡＮ１０５との間の同期を確立するのに、逆送接続１１３、１１７、およびネットワーク１１５を用いる場合もある。
【００３７】
ＷＬＡＮのＡＰ１１１および移動局１０１は同一の時間基準に対して同期されているので、ＷＬＡＮのＡＰ１１１は、所定の時間窓の間に、移動局１０１により送信された短いビーコン・バーストを検出することができる。
【００３８】
例えば、ＧＳＭのＷＡＮでは、アイドル・モード・メッセージは、特定のタイムスロットおよび周波数で、ＢＴＳ１０７によって送信および受信される。ＢＴＳ１０７は、エア・インターフェース１０３を通じてアイドル・モード情報を受信したタイムスロットと同一のタイムスロットの間に、移動局１０１に対して、エア・インターフェース１０９を用いてＷＬＡＮビーコン・バーストを送信するように指令する。ＷＬＡＮのＡＰ１１１は、ＷＡＮ受信機／デコーダ２０１ならびに逆送接続１１３、１１７、およびネットワーク１１５を通じてＷＡＮ１０５と通信するため、ＷＡＮ１０５によって、監視する該当のタイムスロットおよび周波数の通知を受けることができる。したがって、移動局１０１は、そのＷＬＡＮのトランシーバ機器の電源を通常は切っておき、短いビーコン送信期間だけ電源を投入することによって、バッテリの電力を保存することができる。
【００３９】
ブロック５０３において、移動局１０１は、ＷＡＮ１０５に関してはアイドル・モードで動作し、エア・インターフェース１０３の要求に応じてアイドル・モード・メッセージングをＢＴＳ１０７に送信することができる。加えて、本発明の第２実施形態によれば、移動局１０１は、ＢＴＳ１０７によって示される短い時間間隔の間に、エア・インターフェース１０９を通じてＷＬＡＮビーコン信号を送信することができる。移動局１０１がＷＬＡＮのＡＰ１１１の通信範囲内にある場合、ＷＬＡＮのＡＰは、ブロック５０５において示すように、エア・インターフェース１０９を通じて、移動局１０１のＷＬＡＮビーコン送信を検出することができる。
【００４０】
ブロック５０７において、ＷＬＡＮのＡＰ１１１は、逆送接続１１３、１１７、およびネットワーク１１５を通じて、ＷＡＮ１０５に対して、移動局１０１のビーコンを検出したことを通知する。ブロック５０７において、ＷＡＮは、移動局１０１に対して、ＷＬＡＮのＡＰ１１１が近隣にあることを通知する。ブロック５０９において、移動局１０１は、そのＷＬＡＮのトランシーバ機器の電源を投入し、ＡＰと連携することができる。この時点で、先の実施形態と同じ状態であり、加入者のＷＡＮからＷＬＡＮへのハンドオフを実行するには、制御および協議において多くの代替物が可能である。最終的に、ブロック５１１において、移動局はＷＡＮのＢＴＳ１０７との接続を切り、エア・インターフェース１０９を用いて、ＷＬＡＮのＡＰ１１１を通じたアイドル・モード・メッセージングに進む。
【００４１】
図３および図４に関連して先に説明したように、８０２．１１をエア・インターフェース１０９として用いる実施形態において、移動局１０１は、逆送接続１１３、１１７、およびネットワーク１１５を介したＷＬＡＮのＡＰ１１１とＷＡＮ１０５との間の通信が存在するため、連結も認証もせずに、ブロック５１１において直ちに８０２．１１の連携を行うことができる。あるいは、移動局１０１は、８０２．１１再連携を行うこともでき、その場合、ＢＴＳ１０７は、ＷＬＡＮのＡＰ１１１に対して８０２．１１のＡＰとして見える。
【００４２】
図６は、図５に関する動作の更なる詳細を示すフロー図である。図６において、ＷＡＮのＢＴＳ１０７およびＷＬＡＮのＡＰ１１１は、タイミング基準６０１を共有する。移動局１０１はアイドル状態にあり、アイドル・モード・メッセージング６０３を、ＷＡＮのＢＴＳ１０７に送信し、これをＷＡＮのＢＴＳ１０７から受信することができる。
【００４３】
ＷＬＡＮのＡＰ１１１は、しかるべきハードウェアを備えており、移動局を聴取すべき正しい時刻および周波数を把握しているため、ＷＬＡＮのエア・インターフェース１０９を監視することによって、移動局１０１のビーコン６０５を検出することができる。
【００４４】
ＷＬＡＮのＡＰ１１１が移動局１０１のビーコン６０５を検出した後、検出確認６０７をＭＳＣ／ＨＬＲ１２１に送信する。ＭＳＣ／ＨＬＲ１２１は通知メッセージ６０９をＢＴＳ１０７に送信し、ＢＴＳ１０７は、続いて、通知メッセージ６１１を、エア・インターフェース１０３を通じて、移動局１０１に送信する。実施形態によっては、ＷＬＡＮのＡＰ１１１が移動局から正式な調査要求を受信しなかった場合であっても、通知メッセージ６０７、６０９および６１１は、８０２．１１調査応答の情報を含んでいてもよい。
【００４５】
加えて、移動局１０１は、ＷＬＡＮのＡＰ１１１以外の多数のＡＰによって検出される可能性があるため、通知メッセージ６１１のようなメッセージを介して多数の調査応答の情報を受信し、８０２．１１手順にしたがって、エア・インターフェース１０９を用いて確認を行う場合もある。
【００４６】
通知メッセージ６１１を受信した後、動作６１３において、移動局１０１は、そのＷＬＡＮのトランシーバ機器の電源を投入し、いずれかの適切な手順、例えば、８０２．１１連携、再連携等により接続６１５を確立することができる。ＷＡＮのＢＴＳ１０７およびＷＬＡＮのＡＰ１１１は、それぞれ、ハンドオーバ・メッセージ６１７および６１９を介して、ＭＳＣ／ＨＬＲ１２１と通信し、移動局１０１がＢＴＳ１０７との接続を切り（６２１）、エア・インターフェース１０９を通じての、ＷＬＡＮのＡＰ１１１を用いたアイドル・モード・メッセージング６２３に進む。続いて、移動局１０１は、動作６２５によって示されるように、そのＷＡＮのトランシーバ機器の電源を切る。
【００４７】
以上、本発明の好適な実施形態について例示し、説明したが、本発明はそのように限定されるのではないことは、当然理解されよう。当業者には、本発明の技術思想および範囲から逸脱することのない多数の修正、変更、変形、代替、および均等物使用が想起されよう。本発明は添付した特許請求の範囲により規定される。
【図面の簡単な説明】
【００４８】
【図１】ワイヤレス・ローカル・エリア・ネットワーク（ＷＬＡＮ）のアクセス・ポイント（ＡＰ）、およびワイド・エリア・ネットワーク（ＷＡＮ）の基地送受信局（ＢＴＳ）と通信する移動局を示すネットワーク・ブロック図。
【図２】本発明の一実施形態によるＷＬＡＮのＡＰのブロック図。
【図３】本発明の第１実施形態の上位動作のブロック図。
【図４】図３に関連する本発明の第１実施形態の更なる詳細即ち動作を提示するメッセージ・フロー図。
【図５】本発明の第２実施形態の上位動作のブロック図。
【図６】図５に関連する本発明の第２実施形態の更なる詳細即ち動作を提示するメッセージ・フロー図。
【符号の説明】
【００４９】
１０１…移動局、１０５…ＷＡＮ、１１１…ＷＬＡＮのアクセス・ポイント、１１３…逆送接続、１１７…逆送接続
【図１】
2006060817.tif 000003
【図２】
2006060817.tif 000004
【図３】
2006060817.tif 000005
【図４】
2006060817.tif 000006
【図５】
2006060817.tif 000007
【図６】
2006060817.tif 000008